(57)【特許請求の範囲】
【請求項１】
ケース内に設けられた支持軸に回転自在に支持されると共に周囲に測定テープが巻回された巻取ドラムと、該巻取ドラムを測定テープの巻込み方向に付勢する巻取バネとを備えた巻尺において、上記巻取ドラムに形成され、上記支持軸の外径より大きな内径を有し、上記巻取ドラムを上記支持軸の径方向に移動可能にした軸受と、上記ケースに設けられ、上記巻取ドラムを上記支持軸の径方向に移動させて上記ケースの一内側壁方向に移動させるための操作部材と、上記ケースの内側壁に設けられ、上記操作部材により移動される上記巻取ドラムの外周部に接して巻取ドラムの回転に制動力を与える制動部材とを備えたことを特徴とする巻尺。
【請求項２】
上記操作部材が、上記巻取ドラムの外周部を区画する上記ケースの側壁に設けられると共に、上記制動部材が上記操作部材の反対側のケース内壁に設けられ、その表面部が上記巻取ドラムの外周部に沿った曲面を有する請求項１記載の巻尺。
【請求項３】
上記操作部材が、上記巻取ドラムの外周部を区画する上記ケースの側壁に、これよりケース内方に往復移動自在に設けられた摘み部材と、該摘み部材の上記ケース内側に設けられ、上記巻取ドラムの外周部に接して上記巻取ドラムをその反対側に移動させると共に、巻取ドラムの回転に制動力を与えるためのブレーキシューとから構成された請求項１又は２記載の巻尺。
【請求項４】
上記支持軸の断面形状が、非円形形状である請求項１〜３いずれかに記載の巻尺。
【請求項５】
ケース内に設けられた支持軸に回転自在に支持されると共に、周囲に測定テープが巻回された巻取ドラムと、該巻取ドラムを測定テープの巻込み方向に付勢する巻取バネとを備えた巻尺において、上記巻取ドラムに形成され、上記支持軸の外径より大きな内径を有し、上記巻取ドラムを上記支持軸の径方向に移動可能にした軸受と、上記ケースに設けられ、上記巻取ドラムを上記支持軸の径方向に移動させて上記ケースの一内側壁方向に移動させるための操作部材と、上記ケースの内側壁に設けられ、上記操作部材により移動される上記巻取ドラムの外周部に接して巻取ドラムの回転に制動力を与える制動部材と、上記ケースに設けられ、上記巻取バネの付勢力に抗して上記巻取ドラムから上記ケース外へと引き出された測定テープに制動力を与えて固定し、測定テープの引出量を保持する測定テープロック手段とを備えたことを特徴とする巻尺。
【請求項６】
上記測定テープロック手段が、上記巻取ドラムより引き出された測定テープに接して制動力を与えて固定するブレーキ片と、該ブレーキ片を測定テープを固定する位置で保持する保持手段とからなる請求項５記載の巻尺。
【請求項７】
上記操作部材が、上記巻取ドラムの外周部を区画する上記ケースの側壁に、且つ、測定テープの引出口に近接させて、上記巻取ドラムの外周部に沿って移動可能に取り付けられると共に、上記ケース内方に往復移動自在に設けられた摘み部材と、該摘み部材の上記ケース内側に設けられ、上記巻取ドラムの外周部に接して上記巻取ドラムをその反対側に移動させると共に、巻取ドラムの回転に制動力を与えるためのブレーキシューと、上記摘み部材を上記巻取ドラムの外周部に沿って上記測定テープの引出口方向に移動させた際に、上記引き出された測定テープの一側面に接して制動力を与えるブレーキ片と、該ブレーキ片が上記測定テープの一側面に接して制動力を与えた際に、上記摘み部材を上記ケースに保持するための保持手段とを備えた請求項５記載の巻尺。
【請求項８】
上記ブレーキ片が上記摘み部材の測定テープの引出口側に一体的に形成されると共に、上記ブレーキ片と反対側に、上記巻取ドラムに接して制動力を与えるブレーキシューが一体的に形成された請求項７記載の巻尺。
【請求項９】
上記保持手段が上記ブレーキ片に設けられた係合部と、上記ケースに設けられ、上記係合部を係留する係留部とからなる６又は７記載の巻尺。
【請求項１０】
上記ブレーキ片が可撓性を有する合成樹脂材によって成型されると共に上記巻取ドラムに沿った湾曲状に形成され、該ブレーキ片の上記巻取ドラム側に上記係合部が形成され、上記係留部は上記巻取ドラムと上記ブレーキ片との間に位置するように上記ケースに設けられた請求項９記載の巻尺。
【発明の詳細な説明】
【０００１】
【発明の属する技術分野】
本発明は、可撓性の測定テープをケース内に収納した巻尺に関するものである。
【０００２】
【従来の技術】
可撓性の測定テープをケース内に収納した巻尺は、ケース内に回転自在に支持された巻取ドラムの周囲に可撓性の測定テープを巻回して収容する構造になっている。この巻取ドラムには、巻取バネが取り付けられており、測定テープを引き出すと巻取バネが付勢されて、測定テープを巻き込む方向にバネ力が蓄積されるようになっている。従って、引き出した測定テープから手を離すと、巻取バネのバネ力により測定テープがケース内に自動的に巻き取られる。
【０００３】
測定テープを完全にケース内に巻き取るために、巻取バネは、巻取の際の摩擦力に打ち勝つことができる強いバネが用いられている。従って、測定テープを長く（例えば３ｍ程度）引き出して巻き戻した場合には、測定テープの巻取スピードが増大して測定テープの跳ね返りが発生し、測定テープが損傷したり、跳ね返った測定テープが使用者の指に当たったりする可能性があった。
【０００４】
そこで、かかる問題点を解決すべく本出願人は、特開平８−５３０１号公報に記載されているような、簡単な機構で巻取ドラムの回転速度の上昇を抑えることができ、ケースの方向性によってより大きな制動力が与えられる巻尺を提案した。
【０００５】
【発明が解決しようとする課題】
しかしながら、上記の巻尺は制動力に方向性をもたせているため、巻尺の使用状態によっては十分な制動力をもたせることができないという問題があった。
【０００６】
また、測定テープを引き出した状態で測定する際に、測定テープが不用意に引き込まれるという問題もあった。
【０００７】
そこで、本発明の目的は、上記課題を解決し、簡単な機構で巻取ドラムの回転速度の上昇を抑えることができ、ケースの方向に拘らず大きな制動力を与えることができると共に、引き出した測定テープの不用意な引込みを防止できる巻尺を提供することにある。
【０００８】
【課題を解決するための手段】
上記目的を達成するために、請求項１の発明は、ケース内に設けられた支持軸に回転自在に支持されると共に周囲に測定テープが巻回された巻取ドラムと、その巻取ドラムを測定テープの巻込み方向に付勢する巻取バネとを備えた巻尺において、上記巻取ドラムに形成され、上記支持軸の外径より大きな内径を有し、上記巻取ドラムを上記支持軸の径方向に移動可能にした軸受と、上記ケースに設けられ、上記巻取ドラムを上記支持軸の径方向に移動させて上記ケースの一内側壁方向に移動させるための操作部材と、上記ケースの内側壁に設けられ、上記操作部材により移動される上記巻取ドラムの外周部に接して巻取ドラムの回転に制動力を与える制動部材とを備えた巻尺である。
【０００９】
請求項２の発明は、上記操作部材が、上記巻取ドラムの外周部を区画する上記ケースの側壁に設けられると共に、上記制動部材が上記操作部材の反対側のケース内壁に設けられ、その表面部が上記巻取ドラムの外周部に沿った曲面を有する請求項１記載の巻尺である。
【００１０】
請求項３の発明は、上記操作部材が、上記巻取ドラムの外周部を区画する上記ケースの側壁に、これよりケース内方に往復移動自在に設けられた摘み部材と、その摘み部材の上記ケース内側に設けられ、上記巻取ドラムの外周部に接して上記巻取ドラムをその反対側に移動させると共に、巻取ドラムの回転に制動力を与えるためのブレーキシューとから構成された請求項１又は２記載の巻尺である。
【００１１】
請求項４の発明は、上記支持軸の断面形状が、非円形形状である請求項１〜３いずれかに記載の巻尺である。
【００１２】
請求項５の発明は、ケース内に設けられた支持軸に回転自在に支持されると共に、周囲に測定テープが巻回された巻取ドラムと、その巻取ドラムを測定テープの巻込み方向に付勢する巻取バネとを備えた巻尺において、上記巻取ドラムに形成され、上記支持軸の外径より大きな内径を有し、上記巻取ドラムを上記支持軸の径方向に移動可能にした軸受と、上記ケースに設けられ、上記巻取ドラムを上記支持軸の径方向に移動させて上記ケースの一内側壁方向に移動させるための操作部材と、上記ケースの内側壁に設けられ、上記操作部材により移動される上記巻取ドラムの外周部に接して巻取ドラムの回転に制動力を与える制動部材と、上記ケースに設けられ、上記巻取バネの付勢力に抗して上記巻取ドラムから上記ケース外へと引き出される測定テープに制動力を与えて固定し、測定テープの引出量を保持する測定テープロック手段とを備えた巻尺である。
【００１３】
請求項６の発明は、上記測定テープロック手段が、上記巻取ドラムより引き出された測定テープに接して制動力を与えて固定するブレーキ片と、そのブレーキ片を測定テープを固定する位置で保持する保持手段とからなる請求項５記載の巻尺である。
【００１４】
請求項７の発明は、上記操作部材が、上記巻取ドラムの外周部を区画する上記ケースの側壁に、且つ、測定テープの引出口に近接させて、上記巻取ドラムの外周部に沿って移動可能に取り付けられると共に、上記ケース内方に往復移動自在に設けられた摘み部材と、その摘み部材の上記ケース内側に設けられ、上記巻取ドラムの外周部に接して上記巻取ドラムをその反対側に移動させると共に、巻取ドラムの回転に制動力を与えるためのブレーキシューと、上記摘み部材を上記巻取ドラムの外周部に沿って上記測定テープの引出口方向に移動させた際に、上記引き出された測定テープの一側面に接して制動力を与えるブレーキ片と、そのブレーキ片が上記測定テープの一側面に接して制動力を与えた際に、上記摘み部材を上記ケースに保持するための保持手段とを備えた請求項５記載の巻尺である。
【００１５】
請求項８の発明は、上記ブレーキ片が上記摘み部材の測定テープの引出口側に一体的に形成されると共に、上記ブレーキ片と反対側に、上記巻取ドラムに接して制動力を与えるブレーキシューが一体的に形成された請求項７記載の巻尺である。
【００１６】
請求項９の発明は、上記保持手段が上記ブレーキ片に設けられた係合部と、上記ケースに設けられ、上記係合部を係留する係留部とからなる６又は７記載の巻尺である。
【００１７】
請求項１０の発明は、上記ブレーキ片が可撓性を有する合成樹脂材によって成型されると共に上記巻取ドラムに沿った湾曲状に形成され、該ブレーキ片の上記巻取ドラム側に上記係合部が形成され、上記係留部は上記巻取ドラムと上記ブレーキ片との間に位置するように上記ケースに設けられた請求項９記載の巻尺である。
【００１８】
【発明の実施の形態】
以下、本発明の好適な一実施形態を添付図面に基づいて詳述する。
【００１９】
図１は本発明の一実施形態に係る巻尺を示した図であり、（ａ）は水平方向に保持された巻尺の内部構造を示す平面図、（ｂ）は（ａ）におけるＡ−Ａ線断面図、（ｃ）は上ケースの平面図である。
【００２０】
図に示すように、巻尺５０は、ケース１，２内に設けられた支持軸１ａ，２ａに回転自在に支持された巻取ドラム５１と、その巻取ドラム５１の周囲に巻回されてケース１，２内に収容される可撓性の測定テープ６と、巻取ドラム５１を測定テープ６の巻込み方向に付勢する渦巻状の巻取バネ５とを備えている。
【００２１】
ケースは、下ケース１及び上ケース２とからなる二分割構造であり、下ケース１と上ケース２とが、その周縁の段部において嵌合して一体化される。下ケース１の中心部には、巻取ドラム５１を貫通して上ケース２の中心部の取付孔２ｂ内へと延びる取付軸１ｂが設けられており、この取付軸１ｂに対して上ケース２の外側から挿入された固定ネジ（図示せず）により、下ケース１と上ケース２とが一体的に固定される。また、下ケース１及び上ケース２の中心部には、巻取ドラム５１を回転自在に支持する支持軸１ａ，２ａがそれぞれ設けられている。更に、下ケース１及び上ケース２の内側壁には後述する制動部材１ｃ，２ｃがそれぞれ設けられている。
【００２２】
なお本実施形態では、下ケース１及び上ケース２の材質はＡＢＳ樹脂であり、取付軸１ｂ、支持軸１ａ，２ａ及び制動部材１ｃ，２ｃが一体に形成されている。
【００２３】
巻取ドラム５１は、巻取ドラム蓋部３と巻取ドラム本体部４とからなる二分割構造であり、巻取ドラム本体部４の内側に形成された筒状部４ｂを巻取ドラム蓋部３の内側に形成された肉厚部３ｂと嵌合させて一体化される。筒状部４ｂの外側には測定テープ６の巻取部５２が、内側には巻取バネ５の収容部５３がそれぞれ形成される。
【００２４】
巻取ドラム蓋部３および巻取ドラム本体部４の外側壁には、それぞれ円形状の軸受３ａ，４ａが形成されており、巻取ドラム５１は、ケース１，２の支持軸１ａ，２ａに軸受３ａ，４ａを介して回動自在に支持されている。ケース１，２の支持軸１ａ，２ａは、図に示すように、両側が円弧状に形成された略楕円形状であり、巻取ドラム５１の軸受３ａ，４ａは支持軸１ａ，２ａの外径よりも大きな内径を有している。このため、巻取ドラム５１は、支持軸１ａ，２ａの径方向に移動可能となっている。
【００２５】
本実施形態では、支持軸１ａ，２ａを上述のように非円形形状としたことで巻取ドラム５１の移動可能な方向を制限することができる。即ち、巻取ドラム５１は、図１（ａ）に矢印Ｒで示した範囲（即ち、制動部材１ｃ，２ｃが設けられている範囲）においてのみ支持軸１ａ，２ａの径方向（矢印Ｙ方向）に移動できるように構成されており、巻取ドラム５１が矢印Ｒで示した範囲において支持軸１ａ，２ａの径方向外側に移動することで、巻取ドラム５１の外周部５１ａは、その周に沿った大きな接触面積を有して制動部材１ｃ，２ｃと接触させることができる。また、巻取ドラム５１は、矢印Ｒで示した範囲以外においては支持軸１ａ，２ａの径方向に移動できず、ケース１，２の内側壁に接触しないように構成されている。しかしながら、本発明において支持軸１ａ，２ａの形状に制約はなく、上記巻取ドラム５１を制動部材１ｃ，２ｃに対して往復移動させて接触させる構成であるならば、円形状等、他の形状としても良いことは勿論である。
【００２６】
巻取ドラム５１の巻取部５２には、測定テープ６が巻回して収容されている。測定テープ６の内側端部は、巻取ドラム５１に固定されている。また、測定テープ６の外側端部は、テープ引出口５７からケース１，２外へと引き出され、端部に設けられたフック部材７によってケース１，２内に引き込まれないようになっている。このフック部材７は、測定を行うときに、測定対象に掛け止めして使用することもできる。
【００２７】
巻取ドラム５１の収容部５３には、巻取バネ５が収容されている。巻取バネ５の内側端部は下ケース１の取付軸１ｂに固定されており、外側端部は巻取ドラム本体部５１に固定されている。測定テープ６をケース１，２外に引き出すと、巻取バネ５が付勢されて巻取ドラム５１が測定テープ６をケース１，２内に巻き込む方向に付勢される。
【００２８】
また、両ケース１，２の内側壁には、巻取ドラム５１が支持軸１ａ，２ａの径方向に移動した時に、移動した巻取ドラム５１の外周部５１ａを形成するフランジ部と接触して巻取ドラム５１の回転に制動力を与えるための制動部材１ｃ，２ｃがそれぞれ形成されている。制動部材１ｃ，２ｃの表面部は図１（ａ）に示すように、巻取ドラム５１の外周部５１ａに沿った曲面を有している。また、巻取ドラム５１の外周部５１ａを形成するフランジ部は、その先端部の断面形状が図１（ｂ）に示すようにテーパ状に形成されており、制動部材１ｃ，２ｃの断面形状も同様に、テーパ状に形成されている。これは、巻取ドラム５１の外周部５１ａと制動部材１ｃ，２ｃとの接触面積を増して制動効果を高めたものである。また、巻取ドラム５１の外周部５１ａと制動部材１ｃ，２ｃの接触面に、それぞれ、或いはいずれか一方にしぼ加工等を施して摩擦力を高めるようにしても良い。
【００２９】
更に、巻取ドラム５１の外周部５１ａを区画するケース１，２の側壁において、測定テープ６の引出口５７の近く（図において引出口５７の上部）に操作部材１００が設けられている。ケース１，２の側壁には測定テープ６の引出口５７に比較的近接された位置に、操作部材１００を取り付けるための開口部５４が形成されている。操作部材１００は、作業者及び操作者が操作部材１００をケース１，２内方に押圧することで、巻取ドラム５１を支持軸１ａ，２ａの径方向へと移動させて制動部材１ｃ，２ｃに押し当てて制動力を与えることができるものである。
【００３０】
図２を用いて、操作部材１００を説明する。
【００３１】
図２（ａ）は操作部材１００の正面図、（ｂ）は右側面図、（ｃ）は背面図、（ｄ）は図２（ｃ）におけるＢ−Ｂ線断面図である。
【００３２】
操作部材１００は、可撓性を有する材料、例えばポリアセタール等の合成樹脂で一体的に構成されており、図（ｂ）に示すように、概略、巻取ドラム５１の外周に沿った湾曲状に形成されている。
【００３３】
操作部材１００の中央部には、操作部材１００をケース１，２に取り付けたときに、ケース１，２に設けられた開口部５４よりケース１，２外側に突出する摘み部材８が形成されている。
【００３４】
操作部材１００の上部には、ケース１，２内側に位置し、巻取ドラム５１の外周部５１ａに接して巻取ドラム５１をその反対側に移動させると共に、巻取ドラム５１の回転に制動力を与えるためのブレーキシュー９が設けられている。ブレーキシュー９は図２（ｄ）に示すように、その両端部に突起部１２が形成されており、それぞれの突起部１２の内側には凹部１６が形成されている。凹部１６の間隔は、巻取ドラム５１の幅と等しく形成されており、摘み部材８が押圧されて操作部材１００がケース１，２内側に撓むと、凹部１６が巻取ドラム５１の外周部５１ａと接触するようになっている。即ち、ブレーキシュー９の凹部１６は、巻取ドラム５１の外周部５１ａを形成するフランジ部にそれぞれ接触するように構成されている。
【００３５】
また、操作部材１００の中央部には、摘み部材８をケース１，２内方に押圧したときのブレーキシュー９の動きをガイドするガイド部１０が形成されている。操作部材１００の下部には、操作部材１００をケース１，２内に取り付けるためのフランジ部１１が形成されている。
【００３６】
そして、図１に示すように、操作部材１００は、その下部のフランジ部１１が両ケース１，２に設けられたフランジガイド部１３によって形成される溝１４内に挿入されてケース１，２の側壁の開口部５４に取付けられる。また、操作部材１００の上部のブレーキシュー９は、ケース１，２の内部で開口部５４の端部と係合するように取り付けられ、操作部材１００がケース１，２の外側へ外れることを防いでいる。摘み部材８は、開口部５４からケース１，２の外側に突出して位置しており、ケース１，２外部から作業者が押圧できるようになっている。
【００３７】
フランジガイド部１３の上端部には凸部５５が形成されており、この凸部５５と操作部材１００のフランジ部１１とが係合するようにフランジ部１１は上記溝１４内に挿入される。操作部材１００の摘み部材８がケース１，２内側方向に押圧されるとフランジ部１１と凸部５５の接点部分が支点となって操作部材１００はケース１，２内方へと撓み、ブレーキシュー９が巻取ドラム５１に接すると共に巻取ドラム５１を制動部材１ｃ，２ｃに当接するように構成されている。
【００３８】
なお、１５はケース１，２の固定の際に使用するネジ穴である。
【００３９】
次に本発明の作用を述べる。
【００４０】
まず、図１を用いて、巻尺の引出口５７を水平方向、或いは重力方向上方に保持した場合を説明する。
【００４１】
図１においては巻尺の引出口５７を水平方向に保持した状態のみを示しているが、引出口５７を水平方向、或いは重力方向上方に保持した状態では、巻取ドラム５１はその自重によりケース下方に位置し、巻取ドラム５１の外周部５１ａが制動部材１ｃ，２ｃと接触している。測定テープ６を引出口５７から測定に必要な長さ分を引き出すと、巻取ドラム５１内部の渦巻状の巻取バネ５が蓄勢される。測定後に、測定テープ６から手を離すと、巻取バネ５の付勢力によって測定テープ６が自動的にケース１，２内に巻き取られる。
【００４２】
このとき、巻取ドラム５１の外周部が制動部材１ｃ，２ｃと接触しているため巻取ドラム５１の外周部５１ａと制動部材１ｃ，２ｃとの間に摩擦力が働き、巻取ドラム５１の回転速度が抑えられる。
【００４３】
しかしながら、測定テープ６の引出量が大きい場合には巻取バネ５の付勢力が大きく、且つ、巻取ドラム５１の自重も小さいので、巻取初めには十分な制動力を与えることができない場合がある。
【００４４】
そこで、巻取ドラム５１の回転速度をより遅くしたい場合、作業者は操作部材１００の摘み部材８をケース１，２内方へ押圧する。摘み部材８を押圧することで、フランジ部１１と凸部５５の接点部分が支点となって操作部材１００が巻取ドラム５１の方向に撓んで、ブレーキシュー９の凹部１６が巻取ドラム５１の外周部５１ａと接触する。巻取ドラム５１と接触した凹部１６は、巻取ドラム５１を移動させて、反対側に位置する制動部材１ｃ，２ｃに押し付ける。その結果、巻取ドラム５１と制動部材１ｃ，２ｃ、及び巻取ドラム５１と凹部１６との間に摩擦力が働き、巻取ドラム５１の回転速度をさらに抑えることができる。
【００４５】
摘み部材８の押し下げ力を調節することで、巻取ドラム５１の回転速度、即ち、測定テープ６の巻取速度を所望の速度にすることができる。更に、摘み部材８をさらに強く押圧することで、操作部材１００のブレーキシュー９とケース１，２の制動部材１ｃ，２ｃとで巻取ドラム５１を強く狭持して巻取ドラム５１の回転を停止させ、測定テープ６の巻取りを一時止めることができる。
【００４６】
次に、図３を用いて、巻尺を測定テープを下方から巻き取る方向に保持した場合を説明する。
【００４７】
図３（ａ）は測定テープを下方から巻き取る方向に保持された巻尺において、操作部材１００を押圧した状態を示す平面図であり、（ｂ）は図３（ａ）におけるＣ−Ｃ線断面図である。
【００４８】
測定テープ６を重力方向下方から巻き取る方向に巻尺５０を保持した場合、言い換えると、引出口５７を重力方向下方に望ませて巻尺５０を保持した場合、巻取ドラム５１は、その自重により引出口５７側および操作部材１００側の方向に移動し、制動部材１ｃ，２ｃと巻取ドラム５１の外周部５１ａとは離間されて、互いに接触しない状態となる。そこで、引き出した測定テープ６から手を離して、測定テープ６の巻取が開始されると、巻取ドラム５１の回転速度の上昇に伴って巻取ドラム５１が上下に踊り、巻取ドラム５１の外周部５１ａが断続的に制動部材１ｃ，２ｃと接触して、巻取ドラム５１に制動力が与えられる。
【００４９】
しかしながら、この制動力が十分でない場合には、図３に示すように、摘み部材８をケース１，２内方に押圧する。摘み部材８が押圧されると、上記と同様に、凹部１６が巻取ドラム５１と接触して巻取ドラム５１を制動部材１ｃ，２ｃに押し付けて巻取ドラム５１の回転速度を十分に減速させることができる。また、摘み部材８を強く押圧した状態に保持すれば、前記のように測定テープ６を一時止めて保持することができる。
【００５０】
このように、本発明の巻尺では、操作部材１００を押圧することで、ケースの方向に拘らず大きな制動力を与えることができる。
【００５１】
測定テープ６の巻取速度を十分抑えることができるため、測定テープ６の跳ね返りを確実に防止でき、測定テープ６の損傷等を防止できる。
【００５２】
また、制動部材１ｃ，２ｃと操作部材１００のブレーキシュー９とが巻取ドラム５１に狭持するように接触するため、小さな押圧力で大きな制動力を与えることができる。
【００５３】
更に、巻取ドラム５１が移動するため、操作部材１００を押圧した時の移動距離が大いので作業者が感覚を得やすく作業性が良い。
【００５４】
次に、図４〜図７を用いて、本発明の他の実施形態について説明する。
【００５５】
図４は他の実施形態に係る巻尺を示した図であり、（ａ）は水平方向に保持された巻尺の内部構造を示す平面図、（ｂ）は（ａ）におけるＤ−Ｄ線断面図、（ｃ）は上ケースの平面図である。
【００５６】
図５は、他の実施形態における操作部材を示した図であり、（ａ）は正面図、（ｂ）は右側面図、（ｃ）は背面図である。
【００５７】
この実施形態の巻尺は、図１〜図３に示した形態の巻尺と基本的構造が同様であり、そのような部分には同じ符号を付して説明を省略する。
【００５８】
この形態の巻尺６０は、前記の実施形態のように巻取ドラム５１に制動力を与える機構の他に、測定テープ６に制動力を与えて固定し、測定テープ６の引出量を保持する機構を備えている。
【００５９】
即ち、操作部材２００は、ケース１，２内方に押圧可能であると共に、図４においてケース１，２側壁の上下方向に移動可能に取り付けられており、操作部材２００を押圧すると巻取ドラム５１に制動力を加えることができ、下方へと移動すると測定テープ６を固定できるものである。
【００６０】
図５を用いて、操作部材２００を説明する。
【００６１】
図に示すように、操作部材２００は巻取ドラム５１の外周部に沿った湾曲状に形成されており、可撓性を有する材料、例えば、ポリアセタール等の合成樹脂材で一体的に形成されている。
【００６２】
操作部材２００の中央部には、摘み部材２１が形成されており、上部には、巻取ドラム５１の外周部５１ａに接して巻取ドラム５１をその反対側に移動させて制動部材１ｃ，２ｃに押し当てると共に、巻取ドラム５１の回転に制動力を与えるためのブレーキシュー２３が設けられている。摘み部材２１及びブレーキシュー２３は、図２に示したものと同形状に形成されている。ブレーキシュー２３のケース１，２側には、ケース１，２内に設けられた係止部２６と係合する被係止部２２が形成されている。また、摘み部材２１の反対側には、摘み部材２１をケース１，２内方に押圧したときのブレーキシュー２３の動きをガイドするガイド部２４が形成され、摘み部材２１の下部には、操作部材２００をケース１，２内に取り付けるためのフランジ部２５が形成されている。
【００６３】
そして、摘み部材２１の下部すなわち操作部材２００の下端部には、ケース１，２外に引き出された測定テープ６を固定するための測定テープロック手段であるブレーキ片３２と、ブレーキ片３２を測定テープ６を固定する位置で保持する保持手段である係合部３１が設けられている。ブレーキ片３２は、その先端部が図５（ｂ）に示すように、操作部材２００の湾曲方向と逆方向に略Ｌ字状に屈曲して形成されている。操作部材２００をケース１，２側壁の下方、即ち、引出口５７側に移動すると、ブレーキ片３２が測定テープ６の一側面に接して制動力を与えて固定するように構成されている。
【００６４】
係合部３１は、フランジ部２５の巻取ドラム５１側に設けられ、フランジ部２５の幅方向に延びる突起からなる。
【００６５】
そして、図４に示すように、操作部材２００は、そのフランジ部２５及び係合部３１が両ケース１，２に設けられたフランジガイド部２７によって形成される溝２８内に上下に移動可能に挿入されてケース１，２の側壁の開口部５６に取り付けられる。また、操作部材２００の上部の被係止部２２が、ケース１，２内に設けられた係止部２６と係合し、操作部材２００が不用意に移動することを防いでいる。
【００６６】
ケース１，２の開口部５６は、操作部材２００の摘み部材２１の長さよりも上下に長く形成されており、操作部材２００は、引出口５７側とその反対側との間で上下に往復移動できるようになっている。
【００６７】
通常時には、操作部材２００は図４（ａ）に示すように開口部５６の上端に位置する。即ち、操作部材２００は測定テープ６の引出口５７側から遠い位置に位置されることになる。
【００６８】
ケース１，２の引出口５７付近の内部には、操作部材２００が移動してブレーキシュー３２が測定テープ６の一側面に接する時に、測定テープ６の反対側の側面を受けるためのテープ受け部３３が突設されている。
【００６９】
この実施形態においては、以上の説明で明らかなように操作部材２００を押圧することで、図１に示した形態の巻尺と同様にケース１，２の方向に拘らず巻取ドラム５１に制動力を与えることができ、これに加えて操作部材２００を引出口５７側へ移動することで、引き出した測定テープ６を固定して、その引出量を保持することができる。
【００７０】
そこで、上記巻取ドラム５１に制動力を与える場合については図１に示した形態と同様であるのでここで省略し、図６を用いて測定テープ６を固定することについて説明する。
【００７１】
測定テープ６を引き出した状態で測定テープ６をロックしたい場合、操作部材２００の摘み部材２１をケース１，２内方へ押圧して操作部材２００をケース１，２内方へと撓ませて係止部２６から被係止部２２を解除した後、摘み部材２１を開口部５６の下方に押下する。摘み部材２１を押下すると操作部材２００は、フランジ部２５がフランジガイド部２７にガイドされながら巻取ドラム５１の外周部に沿って下方にスライド移動する。操作部材２００が下方に移動すると、操作部材２００の下端部に設けられたブレーキ片３２が巻取ドラム５１から引出口５７へと延びる測定テープ６の表面（ここで、巻取ドラム５１に巻き取られたときに巻取ドラム５１の内側に臨む面を表面、外側に臨む面を裏面とする）と接触して制動力を与える。操作部材２００を更に押下すると、操作部材２００がケース１，２内方へ撓みながら、下端部のブレーキ片３２が測定テープ６の表面を滑って巻取ドラム５１側へ移動し、摘み部材２１が開口部５６の下端まで押下されると、ブレーキ片３２が測定テープ６を前記テープ受け部３３に強く押し付ける。この結果、測定テープ６はブレーキ片３２とテープ受け部３３とで狭持され固定される。
【００７２】
摘み部材２１が開口部５６の下端部に位置している時、操作部材２００は、ケース１，２内方に撓んだ状態で保持されるため、操作部材２００が元の形状に戻ろうとする力、即ち、操作部材２００下端部のブレーキ片３２がケース１，２外方へ移動しようとする力によって、ブレーキ片３２が測定テープ６を、測定テープ６の裏面を受けるテープ受け部３３に強く押し付けて固定する。
【００７３】
一方、操作部材２００を下方へ移動するとフランジ部２５に設けられた係合部３１が下方に移動する。操作部材２００が測定テープ６を固定する位置まで下方に移動すると、係合部３１はフランジガイド部２７の溝２８から下方へ出て、フランジガイド部２７の下方に位置する。その結果、係合部３１が図４（ｃ）に示すフランジガイド部２７の端部の係留部２７ａと係合して係留され、操作部材２００が測定テープ６の固定位置（下端位置）に保持される。従って、測定テープ６を固定した状態で操作部材２００から操作者の指等を離しても測定テープ６が不用意に巻き取られることはない。
【００７４】
測定テープ６の固定を解除する場合、摘み部材２１を開口部５６の上方へ押して移動させる。言い換えると、摘み部材２１を測定テープ６の引出口５７より遠ざけるように移動させる。摘み部材２１を上方へ移動させようとする力によって、前述したフランジガイド部２７の係留部２７ａに係留されている係合部３１が、その係留部２７ａを乗り越えようとする。このとき、係合部３１と係留部２７ａとの接点にかかる力によって操作部材２００のフランジ部２５が撓んでケース１，２外方へ移動し、係合部３１が係留部２７ａを乗り越える。係合部３１が係留部２７ａを乗り越えると、フランジ部２５は自身の弾性力によって元の形状へと戻り、フランジ部２５及び係合部３１が溝２８内に位置する。
【００７５】
摘み部材２１を更に上方へ移動させると、操作部材２００の上端部の被係止部２２がケース１，２の開口部５６の上側に誘導される。この時、溝２８内の係合部３１が支点となって操作部材２００がケース１，２内方へと撓み、操作部材２００の被係止部２２が開口部５６の上側にてケース１，２の内方へ押し込まれる。この後、更に摘み部材２１を上方へ移動させると、操作部材２００のフランジ部２５がフランジガイド部２７にガイドされながら上方に移動して、フランジ部２５の上端部に形成されたテーパ面２５ａがフランジガイド部２７の上端部に形成された凸部５５と接触する。このとき、フランジ部２５の上端部がテーパ状に形成されているため、フランジ部２５はフランジガイド部２７の凸部５５に引っ掛かることなく、スムースに上方へ移動することができる。
【００７６】
フランジ部２５のテーパ面２５ａとフランジガイド部２７の凸部５５とが接触すると、操作部材２００は、フランジ部２５と凸部５５との接点部分を支点としてケース１，２内方へと撓み、操作部材２００上端部の被係止部２２がケース１，２の内方へ押し込まれる。
【００７７】
摘み部材２１を開口部５６の上端部まで移動させると、操作部材２００のフランジ部２５の上部がフランジガイド部２７の凸部５５とケース１，２のフランジとの間で溝２８内に挟まれる。また、フランジ部２５の係合部３１も同様に溝２８内に挟まれて操作部材２００の傾きをなくす。これにより、操作部材２００のケース１，２内方への押し込みはケース１，２の撓みのみとなる。
【００７８】
摘み部材２１を押圧していた作業者の力を取り除くと、操作部材２００が弾性復帰して操作部材２００上部の被係止部２２がケース１，２外方へと移動して被係止部２２がケース１，２内に設けられた係止部２６と係合し、図４（ａ）に示す状態となる。
【００７９】
この形態では、測定テープ６の固定位置で操作部材２００を保持できるため、測定テープ６の引出量を保持したまま操作者の指等を操作部材２００から離して測定作業を行えるので作業性が良い。
【００８０】
なお、本実施形態では、ブレーキシュー２３とブレーキ片３２とは操作部材２００として一体的に形成されているとして説明したが、それぞれ別個に形成してケースに取り付けるようにしても良い。
【００８１】
また、操作部材２００の保持手段は、係合部３１として説明してきたが、操作部材２００を下方の位置に保持する効果が得られれば良く、上述したものに限定はされない。
【００８２】
【発明の効果】
以上要するに本発明によれば、以下に示す如く優れた効果を発揮するものである。
【００８３】
１）簡単な機構で巻取ドラムに確実な制動力を与えることができる。
【００８４】
２）ケースの方向に拘らず十分な制動力を与えることがでる。
【００８５】
３）急激な巻取による測定テープの損傷等を防止できる。
【００８６】
４）わずかな力で十分な制動力を持たせることができる。
【００８７】
５）任意の位置で測定テープを一時停止でき、作業性に優れている。
【００８８】
６）測定テープが不用意に巻き込まれることがない。
【図面の簡単な説明】
【図１】（ａ）は、本発明の一実施形態に係る巻尺において、水平方向に保持された状態の内部構造を示す平面図である。
（ｂ）は、（ａ）におけるＡ−Ａ線断面図である。
（ｃ）は、上ケースの平面図である。
【図２】（ａ）は、操作部材１００の正面図である。
（ｂ）は、操作部材１００の右側面図である。
（ｃ）は、操作部材１００の背面図である。
（ｄ）は、図２（ｃ）におけるＢ−Ｂ線断面図である。
【図３】（ａ）は、測定テープを下方から巻き取る方向に保持された巻尺の内部構造を示す平面図である。
（ｂ）は、図３（ａ）におけるＣ−Ｃ線断面図である。
【図４】（ａ）は、他の実施形態に係る巻尺において水平方向に保持された状態の内部構造を示す平面図である。
（ｂ）は、図４（ａ）におけるＤ−Ｄ線断面図である。
（ｃ）は、上ケースの平面図である。
【図５】（ａ）は、他の実施形態における操作部材の正面図である。
（ｂ）は、右側面図である。
（ｃ）は、背面図である。
【図６】他の実施形態において、測定テープ６をロックした状態を示す図である。
【符号の説明】
１  下ケース
２  上ケース
１ａ，２ａ  支持軸
１ｃ，２ｃ  制動部材
３ａ，４ａ  軸受
５  巻取バネ
６  測定テープ
５１  巻取ドラム
１００  操作部材
【図１】
0003774617.tif 000002
【図２】
0003774617.tif 000003
【図３】
0003774617.tif 000004
【図４】
0003774617.tif 000005
【図５】
0003774617.tif 000006
【図６】
0003774617.tif 000007